(57)【要約】【課題】  開閉部をスムーズにスライドさせることができ、しかも装飾性が高い引輪を提供する。【解決手段】  引輪は、それぞれ金属製である引輪本体と、開閉部と、操作部と、を備えている。引輪本体は、環状部と、スリットとを備えている。環状部は、管状の部材からなり、略環状であって、環の周方向において一部の区間が開口部として不連続となっている。スリットは、環状部の内外を貫通するものであって、環状部の環の周方向に延伸している。開閉部は、環状部内をスライドして開口部を開閉するものであって、環状部の環の周方向に延伸しており、開口部を閉じた状態において開口部に架け渡されるものである。操作部は、開閉部と連結し、開閉部からスリットを通して環状部の外側に突出している。開閉部の側周面は多面状の多面状部となっている。【選択図】      図１
2019122441.tif 000002
【特許請求の範囲】
【請求項１】
それぞれ金属製である引輪本体と、開閉部と、操作部と、を備え、
引輪本体は、環状部と、スリットとを備え、
環状部は、管状の部材からなり、略環状であって、環の周方向において一部の区間が開口部として不連続となっており、
スリットは、環状部の内外を貫通するものであって、環状部の環の周方向に延伸しており、
開閉部は、環状部内をスライドして開口部を開閉するものであって、環状部の環の周方向に延伸しており、開口部を閉じた状態において開口部に架け渡されるものであり、
操作部は、開閉部と連結し、開閉部からスリットを通して環状部の外側に突出しており、
開閉部の側周面が多面状の多面状部となっていることを特徴とする引輪。
【請求項２】
それぞれ金属製である引輪本体と、開閉部と、操作部と、を備え、
引輪本体は、環状部と、スリットとを備え、
環状部は、管状の部材からなり、略環状であって、環の周方向において一部の区間が開口部として不連続となっており、
スリットは、環状部の内外を貫通するものであって、環状部の環の周方向に延伸しており、
開閉部は、環状部内をスライドして開口部を開閉するものであって、環状部の環の周方向に延伸しており、開口部を閉じた状態において開口部に架け渡されるものであり、
操作部は、開閉部と連結し、開閉部からスリットを通して環状部の外側に突出しており、
開閉部の側周面に凹部および凸部の両方または一方を備えることを特徴とする引輪
【請求項３】
環状部の外周面ならびに操作部の表面が多面状の多面状部となっていることを特徴とする請求項１記載の引輪
【請求項４】
開閉部の側周面、環状部の外周面および操作部の表面のうちの少なくとも一つに凹部および凸部の両方または一方を備えることを特徴とする請求項１または３記載の引輪
【請求項５】
凹部および凸部の両方または一方がらせん状となっていることを特徴とする請求項２または４記載の引輪
【発明の詳細な説明】
【技術分野】
【０００１】
本発明は、引輪に関するものである。
【背景技術】
【０００２】
ネックレスなどの首に掛ける装飾具の両端を連結するものとして、引輪が用いられている（例えば特許文献１参照）。一般的な引輪は、管状でかつ略環状の引輪本体と、引輪本体内をスライドして引輪本体の開口部を開閉する開閉部と、開閉部のスライドを指で操作するための操作部とを備えている。
しかしながら、従来の引輪は、開閉部をスライドしようとすると、開閉部が引輪本体の内面に引っ掛かり、スムーズにスライドしないことがある。その結果、装身具の使用者は、引輪が正常な製品であるにもかかわらず不良品であると判断してしまうことがあった。
【先行技術文献】
【特許文献】
【０００３】
【特許文献１】特開２００８−３６２４４号公報
【発明の概要】
【発明が解決しようとする課題】
【０００４】
本発明は、開閉部をスムーズにスライドさせることができ、しかも装飾性が高い引輪を提供することを目的とする。
【課題を解決するための手段】
【０００５】
引輪の第一の態様は、それぞれ金属製である引輪本体と、開閉部と、操作部と、を備えている。引輪本体は、環状部と、スリットとを備えている。環状部は、管状の部材からなり、略環状であって、環の周方向において一部の区間が開口部として不連続となっている。スリットは、環状部の内外を貫通するものであって、環状部の環の周方向に延伸している。開閉部は、環状部内をスライドして開口部を開閉するものであって、環状部の環の周方向に延伸しており、開口部を閉じた状態において開口部に架け渡されるものである。操作部は、開閉部と連結し、開閉部からスリットを通して環状部の外側に突出している。開閉部の側周面は多面状の多面状部となっている。
【０００６】
引輪の第二の態様は、それぞれ金属製である引輪本体と、開閉部と、操作部と、を備えている。引輪本体は、環状部と、スリットとを備えている。環状部は、管状の部材からなり、略環状であって、環の周方向において一部の区間が開口部として不連続となっている。スリットは、環状部の内外を貫通するものであって、環状部の環の周方向に延伸している。開閉部は、環状部内をスライドして開口部を開閉するものであって、環状部の環の周方向に延伸しており、開口部を閉じた状態において開口部に架け渡されるものである。操作部は、開閉部と連結し、開閉部からスリットを通して環状部の外側に突出している。開閉部の側周面に凹部および凸部の両方または一方が備えられている。
【０００７】
引輪の第一の態様は、環状部の外周面ならびに操作部の表面が多面状の多面状部となっているものであってもよい。
【０００８】
また、引輪の第一の態様は、開閉部の側周面、環状部の外周面および操作部の表面のうちの少なくとも一つに凹部および凸部の両方または一方を備えるものであってもよい。
【０００９】
また、引輪の第一の態様および第二の態様は凹部および凸部の両方または一方がらせん状となっているものであってもよい。
【発明の効果】
【００１０】
引輪によると、開閉部の側周面に多面状の多面状部または凹部および凸部の両方または一方を備えているので、開閉部が環状部の内面に引っかかりにくくなり、開閉部がスムーズにスライドする。また、引輪は、どのような方向から光が入射しても開閉部が様々な方向に光を反射して非常に美しく強いきらめきを放つので、従来の引輪に比べ、装飾性が非常に高くなる。
【図面の簡単な説明】
【００１１】
【図１】実施形態の引輪を示す側面図である。
【図２】実施形態の引輪を示す平面図である。
【図３】開口部が閉じた状態の引輪を示す一部側断面図である。
【図４】環状部の外周面を拡大して示す拡大側面図である。
【図５】環状部の横断面を示す横断面図である。
【図６】略環状にする前の直線状の環状部の外周面を拡大して示す写真である。
【図７】開口部が開いた状態の引輪を示す一部側断面図である。
【図８】引輪の使用状況を示す側面図である。
【発明を実施するための形態】
【００１２】
以下、実施形態の引輪について説明する。実施形態の引輪は、図１〜図３に示すように、引輪本体１０と、開閉部３０と、操作部４０と、を備えている。
【００１３】
引輪本体１０は、図１〜図３に示すように、環状部１２と、スリット１４と、を備えている。環状部１２は、管状の部材からなり、側方から見て略環状であって、環の周方向において一部の区間が開口部１６として不連続となっている。
【００１４】
本実施形態では、環状部１２は、金属製の円管状の部材からなり、側方から見ると、略Ｃ字状となっている。金属としては、例えば金や銀を用いることができる。以下、他の構成に用いられている金属も同様である。
【００１５】
以下の説明において、環状部１２の環の周方向（長手方向）の先後（前後）については、説明の便宜上、右上側の端部を先端とし、左下側の端部を後端とし、他の構成の環の周方向もこれに倣うものとする。また環の周方向については、長手方向ということがあるものとする。
【００１６】
スリット１４は、環状部１２の周壁の内外を貫通するものであって、環状部１２の環の周方向に延伸している。
【００１７】
本実施形態では、スリット１４は、環状部１２の外周縁に沿って、環状部１２の先端の後方の位置から後側に向かって縦長に形成されている。
【００１８】
また、本実施形態では、環状部１２内のうち後端の前方には、環状部１２内の一部の区間を塞ぐ規制部１８が設けられている。
【００１９】
環状部１２は、その外面のうち少なくとも外周面を多面状の多面状部２２とすることができる。また、環状部１２は、その外周面を多面状部２２とすることに代えて、またはその外周面を多面状部２２とするとともに、外周面に凹部２４および凸部２６の両方または一方を備えることができる。なお、多面状部２２、凹部２４および凸部２６は、環状部１２の端部の端面に設けられていてもよい。
【００２０】
本実施形態では、図４および図５に示すように、環状部１２の外周面全体に、多面状部２２として、長手方向および外周周りにおいて面を細分化する比較的小さな面が複数（多数）連続して形成されており、外周面が長手方向および外側周周りにおいて細分化されている。さらに、環状部１２の外周面には、凹部２４および凸部２６が長手方向において交互にらせん状に形成されている。
【００２１】
環状部１２は、図６に示される直線状である金属製の管状の部材の外周面に多面状部２２、凹部２４および凸部２６の全部または一部を形成した後、曲げ加工により略環状とすることにより形成される。
【００２２】
開閉部３０は、図１〜図３に示すように、環状部１２内をスライドして開口部１６を開閉するものであって、環状部１２の環の周方向に延伸しており、開口部１６を閉じた状態において開口部１６に架け渡されるものである。
【００２３】
開閉部３０は、その表面のうち少なくとも側周面を多面状の多面状部３２とすることができる。また、開閉部３０は、その側周面を多面状部３２とすることに代えて、またはその側周面を多面状部３２とするとともに、側周面に凹部３４および凸部３６の両方または一方を備えることができる。なお、多面状部３２、凹部３４および凸部３６は、開閉部３０の端部の端面に設けられていてもよい。
【００２４】
本実施形態では、開閉部３０は、金属製で断面が円形であり、後述する操作部４０を挟んで長手方向に湾曲して延伸している。開閉部３０は、径が環状部１２の内径以下の大きさとなっている。また開閉部３０は、環状部１２の環の周方向の曲率とほぼ同じ曲率で湾曲している。開閉部３０は、開口部１６を閉じた状態では、開口部１６に架け渡されるとともに、その先端側が環状部１２の後端側の内部に配され、その後端側が環状部１２の先端側の内部に配される。また、開閉部３０は、前側にスライドし続けると、先端が規制部１８の後端に当たって、前側へのさらなるスライドが規制される。開閉部３０の側周面全体には、多面状部３２として、長手方向および側周周りにおいて比較的小さな面が複数（多数）連続して形成されており、側周面が長手方向および側周周りにおいて細分化されている。さらに、開閉部３０の側周面には、凹部３４および凸部３６が長手方向において交互にらせん状に形成されている。開閉部３０に設けられる多面状部３２、凹部３４および凸部３６は、図４および図５に示される環状部１２のものと同様のものとなっている。
【００２５】
開閉部３０は、直線状である金属製の部材の側周面に多面状部３２、凹部３４および凸部３６の全部または一部を形成した後、曲げ加工により湾曲させることにより形成される。
【００２６】
操作部４０は、開閉部３０のスライドを操作するためのものである。操作部４０は、図１〜図３に示すように、開閉部３０と連結し、開閉部３０からスリット１４を通して環状部１２の外側に突出している。
【００２７】
操作部４０は、その表面を多面状の多面状部４２とすることができる。また、操作部４０は、その表面を多面状部４２とすることに代えて、またはその表面を多面状部４２とするとともに、表面に凹部４４および凸部４６の両方または一方を備えることができる。
【００２８】
本実施形態では、操作部４０は金属からなり、プレス加工により開閉部３０と一体的に形成されている。操作部４０は、側方から見て逆Ｕ字状であり、開閉部３０の長手方向の中央付近において、開閉部３０の前側から上方に立ち上がり、頂部で折り返されて下方側に延びて開閉部３０の後側に接続している。操作部４０の表面全体には、多面状部４２として、比較的小さな面が複数（多数）連続して形成されており、表面が細分化されている。さらに、操作部４０の表面には、凹部４４および凸部４６が長手方向において交互にらせん状に形成されている。操作部４０に設けられる多面状部４２、凹部４４および凸部４６は、図４および図５に示される環状部１２のものと同様のものとなっている。
【００２９】
図１〜図３に示すように、引輪には、鎖や紐などの装飾具７０の一端を連結するための連結環５０が備えられていてもよい。この場合、連結環５０は、その表面を多面状の多面状部５２とすることができる。また、連結環５０は、その表面を多面状部５２とすることに代えて、またはその表面を多面状部５２とするとともに、その表面に凹部５４および凸部５６の両方または一方を備えることができる。
【００３０】
本実施形態において、連結環５０は、金属製で環状のものであり、溶接によりスリット１４の後方に位置する環状部１２の外周縁付近に連結されている。また、連結環５０の表面全体には、多面状部５２として、長手方向および側周周りにおいて比較的小さな面が複数（多数）連続して形成されており、表面が長手方向および側周周りにおいて細分化されている。さらに、連結環５０の表面には、凹部５４および凸部５６が長手方向（環の周方向）において交互にらせん状に形成されている。連結環５０に設けられる多面状部５２、凹部５４および凸部５６は、図４および図５に示される環状部１２のものと同様のものとなっている。
【００３１】
上記各構成の多面状部２２，３２，４２，５２、凹部２４，３４，４４，５４および凸部２６，３６，４６，５６は、例えばダイヤモンドバイトで切削することにより形成される。
【００３２】
図３に示すように、環状部１２内のうち開閉部３０の後端と規制部１８の先端との間には、弾性を有する弾性部材６０が備えられている。本実施形態では、弾性部材６０としてコイルバネが用いられている。コイルバネは、規制部１８により後退が規制されるため、その後端を基準として伸縮する。図７に示すように、開口部１６を開けるために操作部４０を後側に引いて開閉部３０を後側にスライドさせると、コイルバネが縮み、開閉部３０を前側にスライドさせるように復元力が働く。そして開閉部３０を後側にスライドさせる力を開放すると、コイルバネの復元力により開閉部３０が前側にスライドして開口部１６が閉じられる（図１〜図３参照）。
【００３３】
引輪の使用方法について説明する。引輪の連結環５０には、あらかじめ鎖や紐などの装飾具７０の一端が連結される。
使用者が操作部４０を指でつまんで、図７に示すように操作部４０をスリット１４に沿って後退させるとこれに連動して開閉部３０が後側にスライドし、開口部１６が開く。また、使用者が操作部４０を後退させている状態で操作部４０から指を離したり、操作部４０をスリット１４に沿って前進させたりすると、図１〜図３に示すように開閉部３０が弾性部材６０により前側にスライドして開口部１６を閉じる。開口部１６を開けた状態で装飾部の連結部７２の孔や環の空洞に環状部１２を通した後、開口部１６を閉じれば、図８に示すように、引輪を介して装飾部の両端が連結される。開口部１６を開けた状態で、環状部１２から連結部７２を抜けば、引輪を介した装飾部の両端の連結が解除される。
【００３４】
上記引輪によると、開閉部３０の側周面を多面状部３２としたり、開閉部３０の側周面に凹部３４および凸部３６の両方または一方を備えることにより、環状部１２の内面に対する開閉部３０の接地面積が小さくなるので、開閉部３０が環状部１２の内面に引っかかりにくくなり、開閉部３０がスムーズにスライドする。また、引輪は、どのような方向から光が入射しても開閉部３０が様々な方向に光を反射して非常に美しくて強いきらめきを放つので、従来の引輪に比べ、装飾性が非常に高くなる。
【００３５】
また、引輪は、さらに環状部１２の外周面、操作部４０の表面および連結環５０の表面を多面状部２２，４２，５２としたり、これらに凹部２４，４４，５４および凸部２６，４６，５６の両方または一方を備えることにより、どのような方向から光が入射しても、これらの面が入射する光を様々な方向に反射し、どの方向から見ても非常に美しく強いきらめきを放つので、さらに引輪の装飾性が高くなる。特に、見た目が目立つ開閉部３０の側周面、環状部１２の外周面、操作部４０の表面および連結環５０の表面の全てを多面状部２２，３２，４２，５２としたり、これらに凹部２４，３４，４４，５４および凸部２６，３６，４６，５６の両方または一方を備えると、引輪全体が非常に美しく強いきらめきを放つので、外部に露出する部分の全部または一部が上記のようなきらめきを放たない引輪に比べ、引輪の装飾性が著しく高いものとなる。
【００３６】
また、引輪は、開閉部３０の側周面、環状部１２の外周面、操作部４０の表面および連結環５０の表面を多面状部２２，３２，４２，５２とすることに加え、これらに凹部２４，３４，４４，５４および凸部２６，３６，４６，５６の両方または一方を備えると、これらの面がより一層非常に美しくて強いきらめきを放つようになるため、さらに引輪の装飾性が高くなる。また、開閉部３０は、より一層スムーズにスライドするようになる。
【００３７】
また、引輪は、凹部２４，３４，４４，５４および凸部２６，３６，４６，５６の両方または一方をらせん状にしたり、凹部２４，３４，４４，５４および凸部２６，３６，４６，５６を交互にらせん状とすると、より一層非常に美しくて強いきらめきを放つので、さらに引輪の装飾性が高くなる。
【００３８】
本発明の引輪は、上記実施形態に特に限定されるものではなく、本発明の要旨の範囲内において適宜変更することができる。
例えば、開閉部３０の多面状部３２、凹部３４および凸部３６は、上記以外のものであってもよく、環状部１２の内面との接地面積を減らす、言い換えれば開閉部３０をスムーズにスライドさせることができ、かつ従来の引輪のその部位に比べてより美しく強いきらめき（光沢）を放つものであればその形状やパターンはどのようなものであってもよい。
環状部１２、操作部４０および連結環５０の多面状部２２，４２，５２、凹部２４，４４，５４および凸部２６，４６，５６も、上記以外のものであってもよく、従来の引輪のこれらの部位に比べてより美しく強いきらめき（光沢）を放つものであればその形状やパターンはどのようなものであってもよい。
凹部２４，３４，４４，５４および凸部２６，３６，４６，５６のその他のパターンとしては、例えば、比較的小さな突起および窪みの両方または一方を複数備えるパターンや、各構成の長手方向や表面に直線状の突起および溝の両方または一方を複数備えるパターンや、各構成の外周面や側周面の周周りに突起および溝の両方または一方を複数備えるパターンや、格子状の突起および溝の両方または一方を備えるパターンなどが挙げられる。また、凹部２４，３４，４４，５４および凸部２６，３６，４６，５６の横断面形状としては、例えば、Ｖ字状、円弧状、矩形状などが挙げられる。
【符号の説明】
【００３９】
１０    引輪本体
１２    環状部
１４    スリット
１６    開口部
１８    規制部
２２，３２，４２，５２    多面状部
２４，３４，４４，５４    凹部
２６，３６，４６，５６    凸部
３０    開閉部
４０    操作部
５０    連結環
６０    弾性部材
７０    装飾具
７２    連結部
【図１】
2019122441.tif 000003
【図２】
2019122441.tif 000004
【図３】
2019122441.tif 000005
【図４】
2019122441.tif 000006
【図５】
2019122441.tif 000007
【図６】
2019122441.tif 000008
【図７】
2019122441.tif 000009
【図８】
2019122441.tif 000010